(57)【要約】      （修正有）【課題】作業性、携帯性、及び幅寄せ後のパネルの材質維持に優れた幅寄せ具を提供する。【解決手段】ハンドル１の先にリンク２を一連に且つ上下に折り畳み可能に連結し、リンク２の先にフック３を一連に且つ上へのみ折り畳み可能に連結し、ハンドル１は、その先端部にフック３と対向する送り爪４を備え、リンク２は、折り畳み状態のフック３及びハンドル１が納まる間隙を介在して平行に配設した一対の連結板からなり、フック３及び送り爪４の背部に打撃を受けるためのヘッド６，７を備えることを特徴とする。【選択図】図１
0003151651.tif 000002
【実用新案登録請求の範囲】
【請求項１】
ハンドル（１）の先にリンク（２）を一連に且つ上下に折り畳み可能に連結し、
リンク（２）の先にフック（３）を一連に且つ上へのみ折り畳み可能に連結し、
ハンドル（１）は、その先端部にフック（３）と対向する送り爪（４）を備え、
リンク（２）は、折り畳み状態のフック（３）及びハンドル（１）が納まる間隙（５）を介在して平行に配設した一対の連結板（２ａ，２ａ）からなり、
フック（３）及び送り爪（４）の背部に打撃を受けるためのヘッド（６，７）を備える幅寄せ具。
【請求項２】
前記送り爪（４）に貫入止め（１ｃ）を突設した請求項１に記載の幅寄せ具。
【請求項３】
前記フック（３）及び送り爪（４）は、基部から先端に亘って略均等幅で、直方体状の断面形状を有し、且つ線状の先端を有する前記請求項１又は請求項２のいずれかに記載の幅寄せ具。
【請求項４】
折り畳み状態においてハンドル（１）の前面にフック（３）の背面がフック（３）の全長に亘って重なる請求項１乃至請求項３のいずれかに記載の幅寄せ具。
【考案の詳細な説明】
【技術分野】
【０００１】
本考案は、ツーバイフォー工法等により住宅を構築する際、パネル同士の間に生じる隙間を解消すべく、隣接する両パネルを相互に引き寄せる為の工具に関する。
【背景技術】
【０００２】
今日、出願人が実際に用いている幅寄せ具は、フック、リンク、及びハンドルを、各々揺動軸を介して一本の棒状工具として連結したものである（図４参照）。
フックの先端には、一方のパネルの表板にかかる迎え爪を備え、ハンドルの先端には、他方のパネルの表板に係りフックに向けて掻き寄せる送り爪を備える。
【考案の概要】
【考案が解決しようとする課題】
【０００３】
上記の様に、従来用いていた幅寄せ具は、引き寄せた状態におけるフックとリンクの角度が安定せず、パネル間の幅寄せに際しての作業性が悪いという問題がある。
また、フックや送り爪の先端が四方より先窄まりとなっているので、いったんパネルに開いた穴はそのまま表面に残り、表装作業等の支障となる場合もある。
更に、用途及び機能との関係で、適当な強度を要することと、不安定な作業箇所で出来る限り小さい力で強力に隙間を縮めることが必要となることから、梃子の原理を利用するに適した形状とすべく、幅寄せ具が比較的長尺となることは避けられなかった。
その結果、持ち運びに便利な形態を与えることが困難であると言う問題も有していた。
【０００４】
本発明は、上記実情に鑑みてなされたものであって、作業性、携帯性、及び幅寄せ後のパネルの材質維持に優れた幅寄せ具の提供を目的とする。
【課題を解決するための手段】
【０００５】
上記課題を解決する為の本考案による幅寄せ具は、ハンドルの先にリンクを一連に且つ上下に折り畳み可能に連結し、リンクの先にフックを一連に且つ上へのみ折り畳み可能に連結し、ハンドルは、その先端部にフックと対向する送り爪を備え、リンクは、折り畳み状態のフック及びハンドルが納まる間隙を介在して平行に配設した一対の連結板からなり、フック及び送り爪の背部に打撃を受けるためのヘッドを備えることを特徴とする。
尚、ヘッドは、打撃の際にハンマ等が滑り、又は打撃によってフックや送り爪の姿勢が容易に変わらない程度の処理がされていればよい。
【０００６】
幅寄せ対象となるパネルの材質に応じ、前記送り爪に貫入止めを突設した構造、又は前記フック及び送り爪を、基部から先端に亘って略均等幅で、直方体状の断面形状を有し、且つ線状の先端を有する形状とする構造を適宜採用できる。
また、携帯の便宜を図り、折り畳み状態においてハンドルの前面にフックの背面が、一対の連結板に挟まれた状態で、フックの全長に亘って重なる構造とすることも望ましい。
【考案の効果】
【０００７】
ハンドルの先にリンクを一連に且つ上下に折り畳み可能に連結し、リンクの先にフックを一連に且つ上へのみ折り畳み可能に連結した構造によって、パネルを引き寄せた状態におけるフックとリンクの角度が安定し、パネル間の幅寄せに際しての作業性が高まる。
【０００８】
リンクを、折り畳み状態のフック及びハンドルが納まる間隙を介在して平行に配設した一対の連結板で構成することによって、或いは、更に折り畳み状態においてハンドルの前面にフックの背面がフックの全長に亘って重なる構造とすることによって、先鋭なフックや送り爪が折り畳まれた形態の一方に集まり、他方が比較的平坦な形態となり、携帯に便利となる。
【０００９】
幅寄せ対象となるパネルの材質に応じ、前記送り爪に貫入止めを突設した構造、又は前記フック及び送り爪を、基部から先端に亘って略均等幅で、直方体状の断面形状を有し、且つ線状の先端を有する形状とする構造を適宜採用することによって、いったんパネルに穴が開いた場合であっても、木材繊維の復元力によって穴は縮小し、表装作業等の下地形成が容易となる。
【図面の簡単な説明】
【００１０】
【図１】本考案による幅寄せ具の使用時における一例を示す実施態様図である。
【図２】本考案による幅寄せ具の折り畳み時における一例を示す実施態様図である。
【図３】本考案による幅寄せ具の一例を示す平面図及び裏面図である。
【図４】従来の幅寄せ具の一例を示す実施態様図である。
【考案を実施するための形態】
【００１１】
以下、本考案による幅寄せ具の実施の形態を図面に基づき説明する。
図１及び図２に示す例は、ハンドル１の先にリンク２を一連に且つ上下に折り畳み可能に連結し、リンク２の先にフック３を一連に且つ上へのみ折り畳み可能に連結したものである。
【００１２】
ハンドル１は、５ｍｍから１０ｍｍ程度の略均等な厚みを有する鉄板を裁断して一体成形したものである。
【００１３】
ハンドル１は、その先端部に、ハンドル１の長手方向に対して傾斜するクサビ状のアンカ１ａを備え、アンカ１ａの先端部にフック３と対向する送り爪４を備えると共に、アンカ１ａの末端部（送り爪４の背部）にハンマからの打撃を受けるためのヘッド７を備える。
【００１４】
アンカ１ａは、ハンドル本体１ｂの先端部をアンカ１ａにおける送り爪４の後方から突出する形態を採り、その部分を送り爪４の貫入量を制限する貫入止め１ｃとした。
アンカ１ａは、ヘッド７から送り爪４の先端に至るまでハンドル本体１ｂと同様の略均等な厚みを有する形態を採用した結果、送り爪４は、基部から先端に亘って略均等幅で、直方体状の断面形状を有し、且つ線状の先端を有する形態となっている。
【００１５】
ハンドル本体１ｂは、強度と軽量化を満足する為に複数の貫通孔１ｄを長手方向に沿って設けた形に裁断する。
更に、ハンドル本体１ｂは、握り易くする為に、指を受ける凹部１ｅを複数設けて面取りを行い、ゴムで被覆したグリップ１ｆを備える。また、前記貫通孔１ｄは、誤って指が抜けなくなることのないように、各々指の太さよりも十分大きく設定する。
【００１６】
フック３は、ハンドル１と同じ厚みを有する鉄板を裁断し、先端部から末端部へ折り返す迎え爪８を設けたものである。迎え爪８の背部に打撃を受けるためのヘッド６を備え、強度と軽量化を満足する為に複数の貫通孔３ａを長手方向に沿って設ける。迎え爪８は、基部から先端に亘って略均等幅で、直方体状の断面形状を有し、且つ線状の先端を有する形態とする。
【００１７】
リンク２は、ハンドル１の半分程度の厚みを有する鉄板を裁断した一対の連結板２ａ，２ａを平行に配して構成される。一対の連結板２ａ，２ａは、その一端部をアンカ１ａの中央部に軸支し、他端部をフック３の末端部に軸支する。
【００１８】
一対の連結板２ａ，２ａは、各々の両端部においてフック３及びハンドル１の端部をそれらの両側から挟み、揺動軸９，１０を通して連結する。その結果、両端の揺動軸９，１０に挟まれた範囲には、折り畳み状態のフック３及びハンドル１が納まる間隙５が形成される。
【００１９】
連結板２ａの長さは、ハンドル１の前面におけるアンカ１ａの真下に、フック３を、その背面がフック３の全長に亘って重なる折り畳み状態で、一対の連結板２ａ，２ａの間に形成された間隙５に収められる長さとする。
【００２０】
当該例では、フック３の末端部に通した揺動軸９の後方の前面に、フック３の側方を連結板２ａ，２ａが通過することを制止する平板１４を溶着し、上へのみ折り畳み可能とするストッパとして用いる。
【００２１】
本考案による幅寄せ具は、以上の如く構成され、以下の様に用いられる。
まず、フック３の迎え爪８を、幅寄せする一方のパネル１１に当ててヘッド６を打撃し、その迎え爪８をそのパネル１１の表面へ食い込ませる。次に、ハンドル１を立て、アンカ１ａが幅寄せする他のパネル１２の表面に略直立する状態でそのヘッド７を打撃し、その送り爪４をそのパネル１２の表面へ食い込ませる。最後に、立てたハンドル１を平伏させ、フック３、リンク２、及びハンドル１を一直線状とすることによって、迎え爪８と送り爪４との間隔が狭まり、両パネル１１，１２の隙間１３が縮まることとなる。その際、フック３とリンク２の揺動が、ストッパにより上方向のみに制限されているので、迎え爪８と送り爪４との隙間１３を狭める際に生じ易い余分な揺動が回避できる。
【００２２】
携帯の際は、略一直線状に伸びた幅寄せ具を上下交互に折り畳めば、長さが大幅に短縮でき、且つリンク２の幅を要することなく比較的幅の狭い形態となり（図２参照）、腰に下げたとしても、作業にはほとんど支障のないものとなる。
【符号の説明】
【００２３】
１  ハンドル，１ａ  アンカ，１ｂ  ハンドル本体，１ｃ  貫入止め，
１ｄ  貫通孔，１ｅ  凹部，１ｆ  グリップ，
２  リンク，３  フック，３ａ  貫通孔，
４  送り爪，５  間隙，６  ヘッド（フック），７  ヘッド（ハンドル），
８  迎え爪，９  揺動軸（フック），１０  揺動軸（ハンドル），
１１，１２  パネル，１３  隙間，１４  平板，
【図１】
0003151651.tif 000003
【図２】
0003151651.tif 000004
【図３】
0003151651.tif 000005
【図４】
0003151651.tif 000006